(57)【特許請求の範囲】
【請求項１】
通信回線を介してセンタ装置に接続される網制御装置と、センサ情報を出力するセンサとの間に接続され、網制御装置を介してセンタ装置との間でリンク確立信号およびその応答信号をやりとりしてリンク確立を行い、続いてセンサ情報信号およびその応答信号をやりとりしてセンタ装置にセンサ情報を伝送するセンサ装置の再送制御方法において、
前記リンク確立信号に対する応答信号の再送タイムアウト時間をＴ１とし、前記センサ情報信号に対する応答信号の再送タイムアウト時間をＴ２とし、Ｔ１＞Ｔ２としてそれぞれの応答信号のタイムアウトを監視し、前記リンク確立信号に対する応答信号がＴ１でタイムアウトしたとき、あるいは前記センサ情報信号に対する応答信号がＴ２でタイムアウトしたときに、前記リンク確立信号からの再送処理を行う
ことを特徴とする再送制御方法。
【請求項２】
請求項１に記載の再送制御方法において、
前記再送処理の規定回数以内に前記センサ情報信号の送信が成功しない場合に、次の再送間隔または再送の規定回数を増大させ、その後に送信が成功した場合に次の再送間隔または再送の規定回数を減少させる
ことを特徴とする再送制御方法。
【請求項３】
請求項１に記載の再送制御方法において、
前記再送処理の規定回数以内に前記リンク確立が成功しない場合に、次のリンク確立信号の送信タイミングを調整する
ことを特徴とする再送制御方法。
【請求項４】
請求項１に記載の再送制御方法において、
前記再送処理の規定回数以内に前記リンク確立が成功し、前記センサ情報信号の送信が成功した場合に、それぞれの応答信号の応答時間の平均値がともに所定の閾値外にあれば次の再送間隔または再送の規定回数を増大させ、当該平均値の少なくとも一方が所定の閾値内にあれば次の再送間隔または再送の規定回数を減少させる
ことを特徴とする再送制御方法。
【請求項５】
請求項２に記載の再送制御方法において、
前記再送間隔または前記再送の規定回数が閾値を超えて前記再送処理の多発を検知すると、前記センサから取得する前記センサ情報の取得間隔を調整し、あるいは前記センサ情報の精度を下げて前記センサ情報のデータサイズを減少させる
ことを特徴とする再送制御方法。
【請求項６】
通信回線を介してセンタ装置に接続される網制御装置と、センサ情報を出力するセンサとの間に接続され、網制御装置を介してセンタ装置との間でリンク確立信号およびその応答信号をやりとりしてリンク確立を行い、続いてセンサ情報信号およびその応答信号をやりとりしてセンタ装置にセンサ情報を伝送するセンサ装置において、
前記リンク確立信号に対する応答信号の再送タイムアウト時間をＴ１とし、前記センサ情報信号に対する応答信号の再送タイムアウト時間をＴ２とし、Ｔ１＞Ｔ２としてそれぞれの応答信号のタイムアウトを監視し、前記リンク確立信号に対する応答信号がＴ１でタイムアウトしたとき、あるいは前記センサ情報信号に対する応答信号がＴ２でタイムアウトしたときに、前記リンク確立信号からの再送処理を行う再送制御手段を備えた
ことを特徴とするセンサ装置。
【請求項７】
請求項６に記載のセンサ装置において、
前記再送制御手段は、前記再送処理の規定回数以内に前記センサ情報信号の送信が成功しない場合に、次の再送間隔または再送の規定回数を増大させ、その後に送信が成功した場合に次の再送間隔または再送の規定回数を減少させる
ことを特徴とするセンサ装置。
【請求項８】
請求項６に記載のセンサ装置において、
前記再送制御手段は、前記再送処理の規定回数以内に前記リンク確立が成功しない場合に、次のリンク確立信号の送信タイミングを調整する
ことを特徴とするセンサ装置。
【発明の詳細な説明】
【技術分野】
【０００１】
本発明は、センサから取得したセンサ情報を通信回線を介して遠隔のセンタ装置へ転送するセンサ装置、およびセンサ装置における再送制御方法に関する。
【背景技術】
【０００２】
遠隔監視システムは、センタ装置から遠隔で、ガス、水道、電気等の検針値、セキュリティ情報（各種警報等）を収集するシステムであり、Ｍ２Ｍ通信のアプリケーションの一つとして世の中に広く導入されている。
【０００３】
図８は、従来の遠隔監視システムの構成例を示す。
図８において、センサ１１が接続されるセンサ装置１２やガスメーター１３は、通信インタフェースを介して網制御装置（以下「ＮＣＵ」と記述する）１４に接続される。このＮＣＵ１４は通信回線１５を介してセンタ装置１６と接続され、双方向通信する構成になっている。通信回線１５は、例えばＰＳＴＮ、ＩＳＤＮ、ＡＤＳＬ、光回線、携帯電話回線、ＰＨＳ回線等の公衆回線が用いられる。
【０００４】
なお、ＮＣＵ１４とセンサ装置１２やガスメータ１３との間の通信に特定小電力無線を利用する構成、すなわちＮＣＵ１４として無線接続されるＮＣＵ親機とＮＣＵ子機で構成し、ＮＣＵ子機にセンサ端末１２やガスメータ１３を接続する構成であってもよい。
【０００５】
センサ装置１２とセンタ装置１６との間の通信は、上り信号（リンク確立信号および１以上のセンサ情報信号）と下り信号（応答信号）の組み合わせによるシーケンス型の通信プロトコルで実施される。ここで、センサ装置１２からセンタ装置１６の方向を上りとする。センサ装置１２は、リンク確立信号およびその応答信号により回線種別に応じたリンク確立処理を行い、続いてセンサ情報信号およびその応答信号によりセンサ情報の伝送処理を行う。なお、遠隔監視システムのセンサ装置１２は、リンク確立信号を送信してから一定時間内に応答信号を受信しないとき、またはセンサ情報信号を送信してから一定時間内に応答信号を受信しないときは、リンク確立信号と１以上のセンサ情報信号からなる１シーケンス単位で再送処理が行われる。
【０００６】
このような再送制御は、ＴＣＰ（Transmission Control Protocol ）において、パケットを送信するときに応答信号が返ってくる予想時間のタイマを設定し、タイマがタイムアウトしたら再送処理を行うＡＲＱ（Automatic Repeat Request）として一般化している（非特許文献１）。
【０００７】
ここで、再送タイムアウト時間の見積りが重要になる。短すぎれば不必要な再送が行われる可能性が高く、長すぎれば再送処理が遅くなり、スループットの低下につながる。そこで、再送タイムアウト時間は、通信装置間のラウンドトリップ時間（ＲＴＴ）よりも少し長い時間が設定される。
【先行技術文献】
【非特許文献】
【０００８】
【非特許文献１】村山  他著、「トランスポートプロトコル」、岩波講座  インターネット  全６巻、pp.114-117、岩波書店
【発明の概要】
【発明が解決しようとする課題】
【０００９】
ところで、ＴＣＰでは、信号を送受信しながらＲＴＴを測定し、動的に再送タイムアウト時間を変化させることも行われているが、パケットの種別によって再送タイムアウト時間を変更することは行っていない。すなわち、再送タイムアウトを監視するタイマは１つであり、例えば上記のリンク確立信号とセンサ情報信号が同じ再送タイムアウト時間による再送制御が行われることになる。
【００１０】
しかし、遠隔監視システムにおいて使用される通信回線は電話回線、光回線、無線回線など様々であり、回線種別によってはリンク確立に時間を要するものもあり、平均的なＲＴＴは長くなる。一方、リンク確立後のセンサ情報信号およびその応答信号のＲＴＴは短い。このような状況において、センサ情報信号のＲＴＴに合せて短い再送タイムアウト時間を設定すると、リンク確立信号に対してタイムアウトが頻発して無駄な再送が発生する。一方、リンク確立信号のＲＴＴに合せて長い再送タイムアウト時間を設定すると、センサ情報信号のＲＴＴに対して必要以上に長い時間となり、センサ情報信号の伝送効率が低下するとともに、センサ情報が滞留してセンサ装置に過負荷が生じる問題があった。
【００１１】
本発明は、遠隔監視システムにおいて、リンク確立信号およびセンサ情報信号の伝送に対して無駄な再送処理を防止し、さらにセンサ情報の伝送効率を改善するセンサ装置およびその再送制御方法を提供することを目的とする。
【課題を解決するための手段】
【００１２】
第１の発明は、通信回線を介してセンタ装置に接続される網制御装置と、センサ情報を出力するセンサとの間に接続され、網制御装置を介してセンタ装置との間でリンク確立信号およびその応答信号をやりとりしてリンク確立を行い、続いてセンサ情報信号およびその応答信号をやりとりしてセンタ装置にセンサ情報を伝送するセンサ装置の再送制御方法において、リンク確立信号に対する応答信号の再送タイムアウト時間をＴ１とし、センサ情報信号に対する応答信号の再送タイムアウト時間をＴ２とし、Ｔ１＞Ｔ２としてそれぞれの応答信号のタイムアウトを監視し、リンク確立信号に対する応答信号がＴ１でタイムアウトしたとき、あるいはセンサ情報信号に対する応答信号がＴ２でタイムアウトしたときに、リンク確立信号からの再送処理を行う。
【００１３】
第１の発明の再送制御方法において、再送処理の規定回数以内にセンサ情報信号の送信が成功しない場合に、次の再送間隔または再送の規定回数を増大させ、その後に送信が成功した場合に次の再送間隔または再送の規定回数を減少させる。
【００１４】
第１の発明の再送制御方法において、再送処理の規定回数以内にリンク確立が成功しない場合に、次のリンク確立信号の送信タイミングを調整する。
【００１５】
第１の発明の再送制御方法において、再送処理の規定回数以内にリンク確立が成功し、センサ情報信号の送信が成功した場合に、それぞれの応答信号の応答時間の平均値がともに所定の閾値外にあれば次の再送間隔または再送の規定回数を増大させ、当該平均値の少なくとも一方が所定の閾値内にあれば次の再送間隔または再送の規定回数を減少させる。
【００１６】
第１の発明の再送制御方法において、再送間隔または再送の規定回数が閾値を超えて再送処理の多発を検知すると、センサから取得するセンサ情報の取得間隔を調整し、あるいはセンサ情報の精度を下げてセンサ情報のデータサイズを減少させる。
【００１７】
第２の発明は、通信回線を介してセンタ装置に接続される網制御装置と、センサ情報を出力するセンサとの間に接続され、網制御装置を介してセンタ装置との間でリンク確立信号およびその応答信号をやりとりしてリンク確立を行い、続いてセンサ情報信号およびその応答信号をやりとりしてセンタ装置にセンサ情報を伝送するセンサ装置において、リンク確立信号に対する応答信号の再送タイムアウト時間をＴ１とし、センサ情報信号に対する応答信号の再送タイムアウト時間をＴ２とし、Ｔ１＞Ｔ２としてそれぞれの応答信号のタイムアウトを監視し、リンク確立信号に対する応答信号がＴ１でタイムアウトしたとき、あるいはセンサ情報信号に対する応答信号がＴ２でタイムアウトしたときに、リンク確立信号からの再送処理を行う再送制御手段を備える。
【００１８】
第２の発明のセンサ装置において、再送制御手段は、再送処理の規定回数以内にセンサ情報信号の送信が成功しない場合に、次の再送間隔または再送の規定回数を増大させ、その後に送信が成功した場合に次の再送間隔または再送の規定回数を減少させる。
【００１９】
第２の発明のセンサ装置において、再送制御手段は、再送処理の規定回数以内にリンク確立が成功しない場合に、次のリンク確立信号の送信タイミングを調整する。
【発明の効果】
【００２０】
本発明は、センサ装置とセンタ装置との間でリンク確立に時間を要する通信回線を用いる場合であっても、リンク確立信号およびセンサ情報信号の再送処理をそれぞれの再送タイムアウト時間Ｔ１，Ｔ２に応じて最適制御することができる。これにより、無駄な再送制御を回避し、消費電力を低減させることができる。
【００２１】
さらに、センサ情報信号の再送回数を監視し、再送回数が規定回数に達したときに、次回の通信における再送間隔または再送回数を増大する制御を行う。あるいは、リンク確立信号に対する再送回数を監視し、再送回数が規定回数に達したときに、次回の送信タイミングの制御を行う。これにより、再送制御を効率的に実施することができる。
【図面の簡単な説明】
【００２２】
【図１】本発明のセンサ装置の実施例１の構成例を示す図である。
【図２】本発明のセンサ装置の基本の動作シーケンスを示す図である。
【図３】本発明のセンサ装置の第１の再送制御処理例を示すフローチャートである。
【図４】本発明のセンサ装置の第１の再送制御処理の動作例を示すタイムチャートである。
【図５】本発明のセンサ装置の第２の再送制御処理例を示すフローチャートである。
【図６】本発明のセンサ装置の第２の再送制御処理の動作例を示すタイムチャートである。
【図７】本発明のセンサ装置の実施例２における再送制御処理例を示すフローチャートである。
【図８】遠隔監視システムの構成例を示す図である。
【発明を実施するための形態】
【実施例１】
【００２３】
図１は、本発明のセンサ装置の実施例１の構成例を示す。
図１において、実施例１のセンサ装置１００は、ＮＣＵ１４との通信を行う通信インタフェース部１１０、センサ１１からセンサ情報を入力するセンサ入力部１２０、センサ装置全体を制御する制御部１３０により構成される。制御部１３０は、センサ装置１００がＮＣＵ１４に送信する上り信号（リンク確立信号、センサ情報信号）に対する下り信号（応答信号）のタイムアウトによる再送回数を計数する再送回数計数部１３１、再送間隔または再送の規定回数を制御する再送制御部１３２、リンク確立信号の送信タイミングを制御する送信タイミング制御部１３３、再送回数の計数結果や再送の規定回数を記憶する記憶部１３４により構成される。送信タイミングは、リンク確立信号の送信開始前の待ち時間として制御する。例えば、リンク確立信号が生起したときに即時に送信する即時発信方式と、発生させた乱数に対応するランダム待ち時間後にリンク確立信号を送信する遅延発信方式を選択する。
【００２４】
図２は、本発明のセンサ装置の基本の動作シーケンスを示す。
図２において、センサ装置１００とセンタ装置１６との間において実行される１シーケンスは、リンク確立期と通信期に分けられる。リンク確立期では、センサ装置１００とセンタ装置１６との間でリンク確立信号および応答信号をやりとりしてリンクを確立する。まず、センサ装置１００はリンク確立信号をＮＣＵ１４へ送信し、再送タイムアウト時間Ｔ１のＴ１タイマを起動させ、リンク確立信号に対する応答信号の待ち受け状態となる。ＮＣＵ１４はリンク確立信号をセンタ装置１６へ転送し、センタ装置１６から対応する応答信号を受信するとセンサ装置１００へ転送する。センサ装置１００は、リンク確立信号に対する応答信号を正常受信すると、Ｔ１タイマを停止してリンク確立処理を終了して通信期に移行する。一方、リンク確立信号に対応する応答信号が正常受信されず、Ｔ１タイマがタイムアウトした場合には、リンク確立信号の再送処理が行われる。  
【００２５】
通信期では、センサ装置１００とセンタ装置１６との間で、１シーケンスを構成するセンサ情報信号と応答信号のやりとりを繰り返す。センサ装置１００はセンサ情報信号をＮＣＵ１４へ送信し、再送タイムアウト時間Ｔ２のＴ２タイマを起動させ、センサ情報信号に対する応答信号の待ち受け状態となる。ＮＣＵ１４はセンサ情報信号をセンタ装置１６へ転送し、センタ装置１６から対応する応答信号を受信するとセンサ装置１００へ転送する。センサ装置１００は、センサ情報信号に対する応答信号を正常受信すると、Ｔ２タイマを停止し、続いて１シーケンスを構成するセンサ情報信号の送信を繰り返す。ここでは２往復の例を示す。一方、センサ情報信号に対応する応答信号が正常受信せず、Ｔ２タイマがタイムアウトした場合には、リンク確立信号からの再送処理が行われる。
【００２６】
ここで、本発明の特徴は、ＮＣＵ１４とセンタ装置１６との間のリンク確立は、センサ情報信号に比べてＲＴＴが長くなることを考慮し、Ｔ１＞Ｔ２とするところにある。これにより、ＮＣＵ１４とセンタ装置１６との間でリンク確立に時間を要する通信回線を用いる場合であっても、リンク確立信号およびセンサ情報信号の再送処理をそれぞれの再送タイムアウト時間に応じて最適制御することができる。
【００２７】
さらに、リンク確立信号およびセンサ情報信号の再送回数を監視し、再送回数が規定回数に達したときに、次回の通信における再送間隔または再送回数の制御を行う。あるいは、リンク確立信号およびセンサ情報信号に対する再送回数が規定回数に達したときにそれぞれ個別に対応し、リンク確立信号に対しては次回の送信タイミングの制御を行い、センサ情報信号に対しては次回の再送間隔または再送回数の制御を行う。以下に具体的に説明する。
【００２８】
図３は、本発明のセンサ装置の第１の再送制御処理例を示す。ここでは、Ｔ１タイマおよびＴ２タイマがタイムアウトして再送処理を行う規定回数をＮ２とする。
【００２９】
図３において、センサ装置は、リンク確立信号を送信し（Ｓ１）、再送タイムアウト時間Ｔ１のＴ１タイマを起動させ、リンク確立信号に対する応答信号の待ち受け状態となる（Ｓ２）。Ｔ１タイマがタイムアウトする前にリンク確立信号に対する応答信号を正常受信すると（Ｓ２：No）、Ｔ１タイマを停止し、続いてセンサ情報信号を送信し（Ｓ３）、再送タイムアウト時間Ｔ２のＴ２タイマを起動させ、センサ情報信号に対する応答信号の待ち受け状態となる（Ｓ４）。Ｔ２タイマがタイムアウトする前にセンサ情報信号に対する応答信号を正常受信すると（Ｓ４：No）、Ｔ２タイマを停止し、１シーケンスを構成するセンサ情報信号の送信回数だけステップＳ３，Ｓ４の処理を繰り返す（Ｓ５）。そして、１シーケンスのセンサ情報信号の送信を終了すると、次回の通信時に用いる再送間隔または再送の規定回数Ｎ２を下限値を下回らない範囲で減少させ（Ｓ６）、１シーケンスの処理を終了する。
【００３０】
一方、リンク確立信号に対する応答信号の待ち受け状態でＴ１タイマがタイムアウトした場合（Ｓ２：Yes ）、あるいはセンサ情報信号に対する応答信号の待ち受け状態でＴ２タイマがタイムアウトした場合（Ｓ４：Yes ）、再送回数をインクリメントし（Ｓ７）、再送回数が規定回数Ｎ２に達するまで、リンク確立信号およびセンサ情報信号の再送を繰り返す（Ｓ８、Ｓ１）。再送回数が規定回数Ｎ２に達すると（Ｓ８：Yes ）、次回の通信時に用いる再送間隔または再送の規定回数Ｎ２を上限値を上回らない範囲で増大させ（Ｓ９）、１シーケンスの処理を終了する。なお、ステップＳ６の処理は、ステップＳ９で再送間隔または再送の規定回数Ｎ２を増大させた後に限り、減少させるようにしてもよい。
【００３１】
図４は、本発明のセンサ装置の第１の再送制御処理の動作例を示す。ここでは、リンク確立信号と２回のセンサ情報信号の送信で１シーケンスが構成され、再送の規定回数Ｎ２が３の場合に、次回の再送間隔を制御する例を示す。
【００３２】
図４において、リンク確立信号またはセンサ情報信号の３回の再送で送信が成功しない場合は、次回の再送間隔を上限値を上回らない範囲で広げる。また、再送間隔を広げた後に、リンク確立信号およびセンサ情報信号の送信が成功すれば、次回の再送間隔を下限値を下回らない範囲で狭める。なお、再送回数を増減してもよいし、再送回数と再送間隔の両方を同時に増減してもよい。
【００３３】
図５は、本発明のセンサ装置の第２の再送制御処理例を示す。ここでは、Ｔ１タイマがタイムアウトして再送処理を行う規定回数をＮ１とし、Ｔ２タイマがタイムアウトして再送処理を行う規定回数をＮ２とする。
【００３４】
図５において、センサ装置１００がリンク確立信号およびセンサ情報信号の送信に成功して１シーケンスの処理を終了するまでのステップＳ１〜Ｓ６までの処理は、図３に示す第１の再送制御処理例と同様である。
【００３５】
リンク確立信号に対する応答信号の待ち受け状態でＴ１タイマがタイムアウトした場合（Ｓ２：Yes ）、再送回数をインクリメントし（Ｓ11）、再送回数が規定回数Ｎ１に達するまで、リンク確立信号の再送を繰り返す（Ｓ12、Ｓ１）。再送回数が規定回数Ｎ１に達すると（Ｓ12：Yes ）、センサ装置１００とセンタ装置１６との間の通信回線が異常またはビジー、あるいはＮＣＵ１４やセンサ装置１００自体に異常があると判断し、次回の通信時に用いる送信タイミングを変更し（Ｓ13）、１シーケンスの処理を終了する。なお、送信タイミングの変更では、例えば即時発信方式から、発生させた乱数に対応するランダム待ち時間後にリンク確立信号を送信する遅延発信方式などに切り替える。
【００３６】
また、センサ情報信号に対する応答信号の待ち受け状態でＴ２タイマがタイムアウトした場合（Ｓ４：Yes ）、再送回数をインクリメントし（Ｓ７）、再送回数が規定回数Ｎ２に達するまで、リンク確立信号およびセンサ情報信号の再送を繰り返す（Ｓ８、Ｓ１）。再送回数が規定回数Ｎ２に達すると（Ｓ８：Yes ）、次回の通信時に用いる再送間隔または再送の規定回数Ｎ２を上限値を上回らない範囲で増大させ（Ｓ９）、１シーケンスの処理を終了する。
【００３７】
図６は、本発明のセンサ装置の第２の再送制御処理の動作例を示す。ここでは、リンク確立信号と２回のセンサ情報信号の送信で１シーケンスが構成され、再送の規定回数Ｎ１およびＮ２が３の場合に、次回の送信タイミングを制御する例を示す。
【００３８】
図６において、リンク確立信号の３回の再送でリンク確立に成功しない場合は、次回の送信タイミングを即時発信方式から遅延発信方式に切り替える。なお、遅延発信方式に切り替えた後に１シーケンスの処理が成功した場合には、ステップＳ６において、送信タイミングを即時発信方式に切り戻すようにしてもよい。
【実施例２】
【００３９】
実施例１は、リンク確立信号およびセンサ情報信号の再送が規定回数に達しても送信が成功しなかった場合に、センサ装置１００とセンタ装置１６との間の通信回線が異常またはビジー、あるいはＮＣＵ１４やセンサ装置１００自体に異常があると判断し、次回の通信時に用いる再送間隔、再送の規定回数、あるいは送信タイミングを調整するものであった。しかし、リンク確立信号およびセンサ情報信号の応答信号がタイムアウトしなくても、応答時間が長くなっている場合には、例えば通信回線が混雑しているものと推定し、次回の通信時に用いる再送間隔、再送の規定回数を調整することも有効である。
【００４０】
実施例２は、リンク確立信号およびセンサ情報信号に対する応答信号の応答時間をそれぞれ計測し、１シーケンスにおけるそれぞれの平均値を計算するとともに、各通信方式における最短応答時間である理論応答時間との差分を計算し、その差分に応じて次回の通信時に用いる再送間隔、再送の規定回数の増減を行うことを特徴とする。
【００４１】
実施例２のセンサ装置１００は、図１に示す実施例１の制御部１３０において、リンク確立信号およびセンサ情報信号に対する応答信号の応答時間をそれぞれ計測する応答時間計測部と、１シーケンスにおけるそれぞれの応答時間の平均値Ｔ1ave, Ｔ2aveを計算するとともに、理論応答時間Ｔ1th,Ｔ2th との差分を計算する演算部とを備える。
【００４２】
図７は、本発明のセンサ装置の実施例２における再送制御処理例を示す。ここでは、図３および図５に示すフローチャートにおけるステップＳ５とステップＳ６，Ｓ９との間に挿入される部分のみを示す。
【００４３】
図７において、１シーケンスのリンク確立信号およびセンサ情報信号の送信が成功すると（Ｓ５：Yes ）、リンク確立信号およびセンサ情報信号に対する応答信号がタイムアウトしなかったときに計測した応答時間の平均値Ｔ1ave，Ｔ2aveを計算する（Ｓ31）。なお、リンク確立信号は１シーケンスに通常は１回であるため計測値がそのまま平均値になるが、リンク確立後のセンサ情報信号に対する応答信号がタイムアウトしたときにリンク確立信号から再送が行われるので、その場合には複数のリンク確立信号に対する応答時間の平均値Ｔ1aveが計算できる。センサ情報信号の場合は、１シーケンスに複数回繰り返される各応答時間の平均値を計算する。
【００４４】
次に、リンク確立信号に対する応答時間の平均値Ｔ1aveと理論応答時間Ｔ1th の差分が規定値を超えるか否かを判断し、差分が規定値以下であれば、次回の通信時に用いる再送間隔または再送の規定回数Ｎ２を下限値を下回らない範囲で減少させ（Ｓ６）、１シーケンスの処理を終了する。
【００４５】
一方、当該差分が規定値を超えた場合には、センサ情報信号に対する応答時間の平均値Ｔ2aveと理論応答時間Ｔ2th の差分が規定値を超えるか否かを判断し、差分が規定値以下であれば、次回の通信時に用いる再送間隔または再送の規定回数Ｎ２を下限値を下回らない範囲で減少させ（Ｓ６）、１シーケンスの処理を終了する。
【００４６】
リンク確立信号およびセンサ情報信号に対する応答時間の平均値Ｔ1ave，Ｔ2aveと理論応答時間Ｔ1th,Ｔ2th の各差分がともに規定値を超えた場合には、リンク確立信号およびセンサ情報信号の応答信号がタイムアウトしなくても、例えば通信回線が混雑しているものと推定し、次回の通信時に用いる再送間隔、再送の規定回数を増大させ（Ｓ９）、１シーケンスの処理を終了する。
【実施例３】
【００４７】
センサ装置は、センサから入力したセンサ情報をバッファに一時的に格納し、１シーケンスごとにセンタ装置との間でリンクを確立し、複数のセンサ情報信号がＮＣＵを介してセンタ装置へ送信される。このとき、センサ装置とセンタ装置との間で再送処理が多発すると、センサ情報のバッファ溢れが生じる可能性がある。
【００４８】
実施例３のセンサ装置は、再送間隔や再送規定回数をモニタしてある閾値を超えたことを検知すると再送処理が多発していると見なし、センサとの間でセンサ情報の取得間隔の増大、センサ情報入力の一時的な停止、あるいはセンサ情報の精度を下げてセンサ情報のデータサイズを減少させるセンサ制御部を備える。このようなセンサ制御部の制御により、再送処理が多発した場合でもバッファに格納されるセンサ情報量を抑えてバッファ溢れを回避することができる。なお、バッファが一杯になったら、最も古いデータに最新データを上書きしていく。
【００４９】
また、当該センサ制御部においてバッファのデータ蓄積量をモニタし、そのデータ蓄積量に応じて再送制御部（図１：１３２）が再送間隔や再送の規定回数の増大率を制御するようにしてもよい。例えば、センサ情報の取得間隔をＴs 、再送を含め全てのシーケンスが失敗したと判断するまでの時間をＴf としたとき、Ｔs ＞Ｔf となるように制御する。さらに、１シーケンスでＮ個のセンサ情報信号を伝送する場合、Ｔf ＞Ｔ1 ＋Ｔ2 ×Ｎとなる関係が成立するように制御する。また、例えばバッファのデータ蓄積量が全体量の50％未満であれば、再送間隔を２分または再送規定回数を２回ずつ増大させ、50％以上であれば、再送間隔を１分または再送規定回数を１回ずつ増大させるような制御でもよい。
【００５０】
また、センサ装置が自律的に再送間隔や再送の規定回数を制御する構成の他に、センタ装置が再送間隔や再送の規定回数の変更を許可する形態であってもよい。
【実施例４】
【００５１】
センサ装置は、リンク確立信号およびセンサ情報信号に対する応答信号の待ち受け状態でタイムアウトした場合、次の再送処理までの間、あるいは再送が規定回数を超えて１シーケンスの送信が成功しなかった場合にはスリープモードに遷移し、消費電力を低減する。そして、再送間隔が経過して次の再送処理を開始するとき、あるいは次のシーケンスの送信が開始する前に起動するようにしてもよい。
【実施例５】
【００５２】
上述した各実施例におけるＴ１タイマ値、Ｔ２タイマ値、再送規定回数初期値、再送間隔初期値、Ｔ1th 、Ｔ2th は、センサ装置設置時にセンサ端末に対し、設定器等により直接設定してもよいし、センタ装置からＮＣＵを介しセンサ装置に対し要求コマンドを送信し、遠隔設定する構成としてもよい。
【符号の説明】
【００５３】
１１  センサ
１２  センサ装置
１３  ガスメーター
１４  網制御装置（ＮＣＵ）
１５  通信回線
１６  センタ装置
１００  センサ装置
１１０  通信インタフェース部
１２０  センサ入力部
１３０  制御部
１３１  再送回数計数部
１３２  再送制御部
１３３  送信タイミング制御部
１３４  記憶部
【図１】
0005490839.tif 000002
【図２】
0005490839.tif 000003
【図３】
0005490839.tif 000004
【図４】
0005490839.tif 000005
【図５】
0005490839.tif 000006
【図６】
0005490839.tif 000007
【図７】
0005490839.tif 000008
【図８】
0005490839.tif 000009